(57)【要約】【課題】  タブをより小さな力で老若男女誰にでも簡単に引き起こすことが出来、かつ、缶蓋中心部以後まで所定の大きさに開口することができる缶蓋を提供することにある。【解決手段】  タブ（２）の取付片（２０）の蓋板側基端部（２０ｂ）とタブ側基端部（２０ｅ）との間にタブ先端移動調節部（２０ｄ）を形成し、これにより、タブ操作部（２１）を指の爪先で軽く引き起こすことができ、起こされたタブはどこででも静止することができ、指先をタブ（２）に十分に掛けることができるようにする。【選択図】図１
2009196701.tif 000002
【特許請求の範囲】
【請求項１】
蓋板（１２）の開口部（１１）の上面に折り曲げ可能な取付片（２０）を介して取り付けたタブ（２）を、タブ後部の操作部（２１）を軽く引き起こして取付片（２０）を支点として回動させ、タブ前部の押圧部（２２）の第一突出部（２３）を開口部（１１）の側面の破断部（１０ｄ）まで後退移動させ、均衡状態となって最大の押圧力がより集中された第一突出部（２３）で、該破断部（１０ｄ）を押圧して初期切断をし、引き続き開口部（１１）の側面部より切断しつつ缶本体内に折り込み、タブ（２）の操作部（２１）を元の位置に引き戻すこと無く、そのままの状態で開口部（１１）の開口を完了する缶蓋において、
前記取付片（２０）の蓋板側基端部（２０ｂ）とタブ側基端部（２０ｅ）との間に、タブ操作部（２１）を軽く引き起こしたとき、タブがある程度回動し、引き起こされたタブはそのままの状態で静止出来、かつ前記第一突出部（２３）が破断部（１０ｄ）方向に後退移動した後に、破断部（１０ｄ）の初期切断が行なわれるようにする長さ領域のタブ先端移動調節部（２０ｄ）を形成したことを特徴とする缶蓋。
【請求項２】
蓋板（１２）の開口部（１１）の上面に折り曲げ可能な取付片（２０）を介して取り付けたタブ（２）を、タブ後部の操作部（２１）を軽く引き起こして取付片（２０）を支点として回動させ、タブ前部の押圧部（２２）のタブ先端部（２２ｂ）を蓋板（１２）の開口部（１１）の外の領域上で後退移動させ、タブ先端部（２２ｂ）と蓋板側基端部（２０ｂ）とで均衡状態となって最大の引き上げ力がより集中された取付片（２０）で、開口部（１１）の前部を垂直の方向に引き上げ、切れ目線（１０）の破断部（１０ｄ）を初期切断し、続けて操作部（２１）を垂直に引き起こし、切れ目線曲線部（１０ｂ，１０ｃ）を切断して開口部（１１）の前部を引き裂き、引き続き操作部（２１）を引き上げ開口部（１１）の湾曲線部（１０ｊ）を全て切断してフルオープンに開口を完了する缶蓋において、
前記取付片（２０）の蓋板側基端部（２０ｂ）とタブ側基端部（２０ｅ）との間に、タブ操作部（２１）を軽く引き起こしたとき、タブがある程度回動し、前記タブ先端部（２２ｂ）が破断部（１０ｄ）方向に後退移動した後に、破断部（１０ｄ）を垂直に引き上げ破断部（１０ｄ）の初期切断が行なわれるようにする長さ領域のタブ先端移動調節部（２０ｄ）を残すと共に、
前記押圧部（２２）の先端部（２２ｂ）の押圧部補強部（２２ａ）を、タブ操作部（２１）の最初の引きお越しを容易にすべく、蓋板（１２）との間に間隙を形成したことを特徴とする缶蓋。
【請求項３】
請求項１に記載の缶蓋において、蓋板と接触する前記押圧部（２２）の第一突出部（２３）及び第二突出部（２４）を、断面逆凹状に形成し、第二突出部（２４）が位置決め用の直線凹状の溝部（１３）に係合すべく第二突出部（２４）を第一突出部（２３）よりも下方に向け長く形成したことを特徴とする缶蓋。
【請求項４】
請求項１及び請求項３に記載の缶蓋において、前記両先端突出部（２３，２４）のうち、第一突出部（２３）に押圧力がより集中するよう、前記取付片（２０）を形成している切断線（２０ｆ）において、押圧部（２２）の第一突出部（２３）側のタブ側基端部（２０ｅ）付近に終端部子孔（２０ｈ）を形成し、且つ、第二突出部（２４）側のタブ側基端部（２０ｅ）へ続く曲線部（２０ｇ）を、タブ側基端部（２０ｅ）の中心線（Ｌ）付近に設けられた終端部子孔（２０ｊ）まで形成したことを特徴とする缶蓋。
【請求項５】
請求項１乃至請求項４の何れかに記載の缶蓋において、前記タブ取付片（２０）の終端部子孔（２０ｈ）と一方の終端部子孔（２０ｊ）との中間に、曲線部（２０ｃ）の位置決め用の直線凹状溝部（２０ｋ）を形成し、タブ（２）の操作部（２１）を強く引き起こしたとき、前記子孔（２０ｈ）と（２０ｊ）の先端部と、前記凹状溝部（２０ｋ）の後端部と先端部とがそれぞれ折れ線状に結ばれ、強い引き起こし力により取付片（２０）が曲がり込み、終端部子孔（２０ｈ）と（２０ｊ）とが引き裂かれないように、略三角形の補強地帯（２０ｎ）が形成されるように設けられた事を特徴とする缶蓋。
【請求項６】
請求項１，３乃至請求項５の何れかに記載の缶蓋において、前記破断部（１０ｄ）は、蓋板（１２）に刻印された切れ目線（１０）により形成され、該切れ目線（１０）は、タブ（２）が引き起こされる前は第一突出部（２３）が切れ目線の曲線部（１０ｅ）と、該曲線部（１０ｅ）に続く曲線部（１０ｆ）の外側に位置するよう形成され、且つ、タブ（２）が引き起こされ均衡状態になったとき第一突出部（２３）が前記破断部（１０ｄ）を軽く押圧し切断出来るよう、その真上の直ぐ内側に第一突出部（２３）の先端が後退移動する位置に形成されていることを特徴とする缶蓋。
【請求項７】
請求項１，３乃至請求項６の何れかに記載の缶蓋において、前記開口部（１１）を形成している切れ目線（１０）の破断部（１０ｄ）に続く終端部（１０ｍ）を、加締部（１４）の中心線（Ｎ）の後方に遠く位置するよう形成し、タブ（２）を引き起こし、開口をしたそのままの状態で開口を完了するように形成をしたことを特徴とする缶蓋。
【請求項８】
請求項１，３乃至請求項７の何れかに記載の缶蓋において、前記開口部（１１）に、前記押圧部（２２）の第二突出部（２４）と係合し、タブ先端の後退移動を蓋板（１２）の中心線（Ｌ）に沿って平行に案内する直線凹状の溝部（１３）をガイド手段として形成し、且つ、前記押圧部（２２）が後退移動した第一突出部（２３）の近傍の破断部（１０ｄ）を、中心線（Ｌ）に対し平行な直線状に形成し、正確に初期切断することが出来るようにしたことを特徴とする缶蓋。
【請求項９】
請求項１，３乃至請求項８の何れかに記載の缶蓋において、前記開口部（１１）は、中心部から操作部（２１）方向に大きく開口され、前記タブ（２）は、タブ側基端部（２０ｅ）より操作部（２１）までの長さをより短く形成し、缶蓋（１）の外径を、従来の外径の径よりも、より小さな径に形成したことを特徴とする缶蓋。
【請求項１０】
請求項２及び請求項５記載の缶蓋において、前記取付片（２０）は、開口部（１１）前部の破断部（１０ｄ）の近くに加締部（１４）により取り付けられ、タブ（２）の操作部（２１）を引き起こし、タブ先端移動調節部（２０ｄ）によりタブ先端部（２２ｂ）は後退移動し、引き続き操作部（２１）を大きく引き起こし、前記タブ先端部（２２ｂ）を支点として加締部（１４）は垂直に引き上げられて破断部（１０ｄ）は初期切断され、更に、そのままの状態でタブ（２）を引き上げ開口部（１１）は完全にフルオープンされることを特徴とする缶蓋。
【発明の詳細な説明】
【技術分野】
【０００１】  本発明は、コーヒー、コーラ、ビール等の飲料缶及び魚介、果実類その他のフルオープン缶の易開封式の缶蓋（イージーオープンエンド）に関するものである。
【背景技術】
【０００２】  従来、コーヒー、コーラ、ビール等の飲料缶や魚介、果実類その他の缶の缶蓋は、タブ機構による易開封な缶蓋（イージーオープンエンド）として構成されている。【０００３】  飲料缶のイージーオープンエンドは、スティオンタブ方式が殆どで、タブが蓋板の中心に固着されており、この固着部前方からタブ先端の押圧部方向に向けて蓋板に切れ目線により破断部が形成されている。タブ後方の操作部を引き起こすことにより固着部前部とタブ前部の押圧部によって切断さける。引き続きタブを垂直に引き起こすことにより切れ目線は順次切り裂かれ、開口片は缶本体内に折り込まれて缶が開口され、次いでタブが再度元の位置に折も戻されて開口が完了するものである。【０００４】  一方フルオープン缶のイージーオープンエンドは、巻き締めカール部の内周縁部近くにエンドレス状に切れ目線が刻印されている。この切れ目線の真上にタブの中心線の延長上にある先端部が位置するようにタブが取り付けられており、タブの後方操作部のリング部を引き起こすことにより、タブのタブ固着部を支点としてタブ先端が下方に押し下げられ、タブ先端の真下に設けられたエンドレス状の切れ目線がタブ先端によって切断され、缶本体内に折り込まれる。次いで、垂直に引き起こされたタブのリング部に指を差し入れてタブを引き上げることにより、蓋板上のエンドレス状の切れ目線は順次引き裂かれてフルオープン状に開封されるものである。
【発明の開示】
【発明が解決しようとする課題】
【０００５】  ところで、スティオンタブ方式の問題点は、開口片を形成する切れ目線を初期切断（ポップ）するためにタブが引き起こされて回動する際、指先を蓋板とタブの操作部下部に差し込むための遊びが無く、即ちタブを引き起こすその時点から切れ目線を切断するようになっているため、丁度蓋板に密着した板バネを引き起こすことに似ており、タブの操作部の下部に指の爪先を入れてタブを起こすには、爪先にとっては大きな力の負担で、特に高齢者や指先に障害のある人には開口が出来ないとゆう点にある。この事実は折々報道されており、またそのためタブ引き起こし用の様々なオープナーが市販されており、本来望まれているバリアフリー、つまり誰でも簡単に指先で開口することが出来るとゆう域に達していないのが現状である。【０００６】  そこで、より小さな力で老若男女誰にでも簡単にタブを片手で引き起こすことが出来るいわゆるバリアフリーの缶蓋、特に飲み口も必要に応じて上下左右様々な所定の大きさに開口することが出来、タブも邪魔にならず飲みやすく安全なユニバーサルデザインのイージーオープンエンドの缶蓋が望まれる。【０００７】  本発明は、このような事情に鑑みなされたものであり、その目的は、タブをより小さな力で老若男女誰にでも簡単に引き起こすことが出来、且つ、所定の大きさに容易に開口することができ、しかも飲みやすいユニバーサルデザインの缶蓋を提供することにある。
【課題を解決するための手段】
【０００８】  上記目的を達成するため、本発明の缶蓋は、次のように構成したものである。
（１）請求項１に記載の発明は、蓋板（１２）の開口部（１１）の上面に折り曲げ可能な取付片（２０）を介して取り付けたタブ（２）を、タブ後部の操作部（２１）を引き起こして取付片（２０）を支点として回動させ、タブ前部の第一突出部（２３）を蓋板の破断部（１０ｄ）まで後退移動させ、該破断部（１０ｄ）を押圧して開口部（１１）の側面部より切断しつつ缶本体内に折り込み、次いで、タブを垂直に引き起こし蓋板（１２）の中心部の後方に遠くまで開口し、かつタブ取付片（２０）部分以上までを缶蓋上面から缶内に折り込ませて開口部（１１）の開口を行い、タブを再び缶蓋上面に戻すこと無く、そのままの状態で開口を完了するタイプの缶蓋（実施形態１）において、
前記取付片（２０）の蓋板側基端部（２０ｂ）とタブ側基端部（２０ｅ）との間に、タブ操作部（２１）を引き起こしたとき、タブがある程度回動し、かつ前記押圧部（２２）の第一突出部（２３）が破断部（１０ｄ）方向に後退移動した後に、最大の押圧力のもとで均衡状態になり、破断部（１０ｄ）の初期切断が行なわれるようにする長さ領域のタブ先端移動調節部（２０ｄ）を形成したことを特徴としたものである。
これにより、タブ操作部（２１）を指の爪先で容易に引き起こす事が出来、指先がタブ（２）に十分に掛かる所で静止することができる。尚、開口部（１１）の側面部より破断開口をするのは、開口部（１１）を加締部（１４）以後広く開口するためである。【０００９】  （２）請求項２に記載の発明は、蓋板（１２）の開口部（１１）の上面に折り曲げ可能な取付片（２０）を介して取り付けたタブ（２）を、タブ後部の操作部（２１）を引き起こして取付片（２０）を支点として回動させ、タブ先端部（２２ｂ）を蓋板（１２）の開口部（１１）外の領域上で後退移動させ、タブ先端部（２２ｂ）と取付片（２０）で、開口部（１１）の前部を引き上げ、切れ目線（１０）の破断部（１０ｄ）を初期切断し、続けて操作部（２１）を垂直に引き起こし切れ目線曲線部（１０ｂ，１０ｃ）を切断して開口部（１１）の前部を蓋板（１２）上より引き裂き、引き続き操作部（２１）を引き上げ開口部（１１）の湾曲線部（１０ｊ）を全て切断してフルオープンに開口を完了する缶蓋（実施形態２）において、
前記取付片（２０）の蓋板側基端部（２０ｂ）とタブ側基端部（２０ｅ）との間に、タブ操作部（２１）を軽く引き起こしたとき、タブがある程度回動し、前記タブ先端部（２２ｂ）が破断部（１０ｄ）方向に後退移動した後に、破断部（１０ｄ）を垂直に引き上げ破断部（１０ｄ）の初期切断が行なわれるようにする長さ領域のタブ先端移動調節部（２０ｄ）を残すと共に、
前記押圧部（２２）の先端部（２２ｂ）の押圧部補強部（２２ａ）を、タブ操作部（２１）の最初の引きお越しを容易にすべく、蓋板（１２）との間に間隙を形成したことを特徴としたものである。
これにより、タブ操作部（２１）を指の爪先で容易に引き起こすことができ、指先がタブ（２）に十分に掛かる所で静止することができる。【００１０】  本発明のこれらの缶蓋のイージーオープンエンドは、指の爪先に掛けられる位のわずかな力でタブ（２）の操作部（２１）を引き起こすことが出来、かつ操作部を引き起こした後、操作部の下側に十分指先が掛けられる状態で静止することが出来る。
一方、開口部（１１）もタブ周囲の左右前後に大きく開口されることが好ましく、また、輸送時等で蓋上部への圧力で簡単に開口されないことが要請されるが、これも十分に満たされる。【００１１】  蓋板（１２）の開口部（１１）に折り曲げ可能な取付片（２０）を介して取り付けられているタブ（２）を、タブ後方の操作部（２１）を軽く引き起こして取付片（２０）を支点として回動させ、タブ前部の第一突出部（２３）で開口部（１１）の側面破断部（１０ｄ）を押圧して開口部（１１）の開口を行なうイージーオープンエンドを前提とし、まず、前記取付片（２０）の蓋板側基端部（２０ｂ）とタブ側基端部（２０ｅ）との間にタブ先端移動調節部（２０ｄ）を設け、これによりタブ（２）を引き起こしたときタブ（２）が回動して押圧部が操作部方向に後退移動し、移動後、破断部（１０ｄ）の初期切断が行なわれるようにすると共に、タブ操作部（２１）を指の爪先で容易に引き起こす事ができ、指先がタブ（２）に十分に掛かるところで静止する事ができるようにする（請求項１）。【００１２】  また、蓋板と接触する前記押圧部（２２）の第一突出部（２３）及び第二突出部（２４）を、断面逆凹状に形成し、第二突出部（２４）が位置決め用の直線凹状の溝部（１３）に係合すべく、第二突出部（２４）を第一突出部（２３）よりも下方に向け長く形成することが好ましい（請求項３）。【００１３】  また、前記両先端突出部（２３，２４）のうち、第一突出部（２３）に押圧力がより集中するよう、前記取付片（２０）を形成している切断線（２０ｆ）において、押圧部（２２）の第一突出部（２３）側のタブ側基端部（２０ｅ）付近に終端部子孔（２０ｈ）を形成し、且つ、第二突出部（２４）側のタブ側基端部へ続く曲線部（２０ｇ）を、タブ側基端部（２０ｅ）の中心線（Ｌ）付近に設けられた終端部子孔（２０ｊ）まで形成することが好ましい（請求項４）。【００１４】  また、前記タブ取付片（２０）の終端部子孔（２０ｈ）と一方の終端部子孔（２０ｊ）との中間に、曲線部（２０ｃ）の位置決め用の直線凹状溝部（２０ｋ）を形成し、タブ（２）の操作部（２１）を強く引き起こしたとき、前記終端部子孔（２０ｈ）と（２０ｊ）の先端部と、前記直線凹状溝部（２０ｋ）の後端部と先端部とがそれぞれ折れ線状に結ばれ、強い引き起こし力により取付片（２０）が曲がり込み終端部子孔（２０ｈ）と（２０ｊ）とが引き裂かれないように、略三角形の補強地帯（２０ｎ）が形成されるように設けることが好ましい（請求項５）。【００１５】  また、前記破断部（１０ｄ）は、蓋板（１２）に刻印された切れ目線（１０）により形成され、該切れ目線（１０）は、タブ（２）が引き起こされる前は第一突出部（２３）が切れ目線の曲線部（１０ｅ）と、該曲線部（１０ｅ）に続く曲線部（１０ｆ）の外側に位置するよう形成され、且つ、タブ（２）が引き起こされ均衡状態になったとき、第一突出部（２３）が前記破断部（１０ｄ）を押圧し切断出来るよう、その真上の直ぐ内側に第一突出部（２３）の先端が後退移動する位置に形成することが好ましい（請求項６）。【００１６】  また、前記開口部（１１）を形成している切れ目線（１０）の破断部（１０ｄ）に続く終端部（１０ｍ）を、加締部（１４）の中心線（Ｎ）の後方に遠く位置するよう形成し、タブ（２）を引き起こし、開口をしたそのままの状態で開口を完了するように形成することが好ましい（請求項７）。【００１７】  また、前記開口部（１１）に、前記押圧部（２２）の第二突出部（２４）と係合し、タブ先端の後退移動を蓋板（１２）の中心線（Ｌ）に沿って平行に案内する直線凹状の溝部（１３）をガイド手段として形成し、かつ前記押圧部（２２）が後退移動した後の第一突出部（２３）の近傍の切れ目線の破断部（１０ｄ）を、中心線（Ｌ）に対し平行な直線状に形成し、正確に初期切断することが出来るようにすることが好ましい（請求項８）。【００１８】  また、前記開口部（１１）は、缶蓋（１）の中心部から操作部（２１）方向に大きく開口され、前記タブ（２）は、タブ側基端部（２０ｅ）より操作部（２１）までの長さをより短く形成し、缶蓋（１）の外径を、従来の外径の径よりも、より小さな径に形成することが好ましい（請求項９）。【００１９】  また、請求項２及び請求項５記載の缶蓋において、前記取付片（２０）は、開口部（１１）の前部の破断部（１０ｄ）の近くに加締部（１４）により取り付けられ、タブ（２）の操作部（２１）を引き起こし、タブ先端移動調節部（２０ｄ）によりタブ先端部（２２ｂ）は後退移動し、前記タブ先端部（２２ｂ）を支点として加締部（１４）は垂直に引き上げられて破断部（１０ｄ）は初期切断され、引き続きそのままの状態でタブ（２）を引き上げ開口部（１１）は完全にフルオープンされることが好ましい（請求項１０）。【００２０】  このように、本発明の缶蓋の開口の特徴として、タブ（２）は破断部（１０ｄ）の初期切断を行なう前にある程度回動するため、破断部（１０ｄ）の初期切断の際にはタブの操作部（２１）は引き起こされ静止した状態になっている。この段階まではタブ（２）を引き起こすための力は軽く、爪先で引き起こすことができる。【００２１】  次に、破断部（１０ｄ）の初期切断をする際には、タブ（２）の操作部（２１）は引き起こされて静止した状態であるため、タブ（２）の操作部の下に指先を入れられ又は掛けられるので、破断部（１０ｄ）の初期切断が容易になる。従って、比較的小さな力で誰にでもバリアフリーに簡単に缶の開封をおこなうことが出来る。【００２２】  更に、前記破断部（１０ｄ）を形成する切れ目線（１０）を、タブ（２）が引き起こされる前は第一突出部（２３）が切れ目線（１０）の曲線部（１０ｆ）の外側に位置し、且つ、タブ（２）が引き起こされたときにのみ第一突出部（２３）が破断部（１０ｄ）の真上か又はその近傍に後退移動する位置になるように設けているので、缶を落とした場合等、不慮にタブ（２）に圧力が掛かりその結果開口部（１１）の一部が切断されて缶が開口されてしまうとゆう心配もない。【００２３】  更にまた、破断部（１０ｄ）にタブ先端の移動を押圧部から操作部の方向に沿って容易に案内するガイド手段用の溝部（１３）を設けることにより、突出部先端の正確な後退移動の位置決めを確実に行なえる。
【発明の効果】
【００２４】  以上説明したように本発明によれば、次のような優れた効果を奏する。
（１）請求項１乃至請求項１０記載の発明によれば、蓋板に対するタブの取付片の一部をタブ先端移動調節部として形成すると共に、取付片のタブ側基端部に取付片の曲げを容易にする折り曲げ調節部を設けたので、タブの引きお越しが非常に軽く、また何処ででも静止することが出来、開口のため引き起こされたタブも、開口部の切れ目線に対し、押圧力が一点により集中することが出来るため、初期切断も軽く、高齢者でも誰でもがバリアフリーに片手で簡単に缶の開口を行なうことが出来る。
（２）飲料物の内容により、様々な形状や大きさに加締部以後にまで開口することができ、且つ、容易に開口することが出来る。
（３）蓋板の中心部からタブ操作部方向に長く大きく開口部を形成し、タブも短くする事が出来るため、缶蓋の径を小さくし、より薄板で形成することが出来、コストの削減はもとより地球温暖化の防止に大きく貢献することが出来る。
（４）請求項１，３乃至請求項９記載の発明によれば、開口部を形成する切れ目線を、タブが引き起こされる前は押圧部が切れ目線の外側になり、且つ、タブが引き起こされたときにのみ押圧部が切れ目線の近傍に後退移動する位置になるよう設けたので、缶を落としたとき等においても、不慮に缶蓋が開口されるとゆう心配もない。
（５）請求項１０記載の発明によれば、開口部にタブの後退移動を押圧部から操作部方向に沿って案内するガイド手段を設けたので、突出部の破断部への位置決めを確実に行なうことができる。
（６）初期切断から蓋板の上方向に向け、又は下方向に向け一方向のみに切り裂かれて開封が完了するため、誰にでも安全かつスムースに開封することが出来る。
【発明を実施するための最良の形態】
【００２５】  以下、本発明を実施するための最良の形態を添付図面に基づいて詳述する。
図１乃至図１５に本発明の実施形態１を示す。これは、飲料用の缶蓋へ本発明を適応したその一例である。
図１及び図２において、１は缶蓋を示し、この缶蓋１はコーヒー、コーラ、ビール等の飲料を収容する缶本体３に固着されるものであり、缶本体３と同じ材料、例えばアルミ、ブリキ鋼板等の薄板により形成されている。缶蓋１は、缶本体３の上部開口部を閉鎖すると共に、切れ目線１０により形成された開口されるべき領域を閉鎖する開口部１１を有する蓋板１２と、その蓋板１２の中央のタブ加締部１４に取り付けた薄板から成るタブ２が取付片２０を介して蓋板１２に取り付けられており、タブ２を引き起こし押圧部２２で開口部１１を押圧して蓋板１２から開口部１１を切断しつつ缶本体内に折り込み、そのままの状態で缶の開口を完了するステイオンタブ方式の缶蓋である。
缶蓋１は、周縁部が缶本体３の開口部に巻き締めされて固着される。【００２６】＜蓋板１２＞
図１、図３及び図４に示すように、蓋板１２の開口部１１は、蓋板１２の中心をほぼ含むように略Ｕ字状に刻印された切れ目線１０により形成されており、この開口部１１の領域内において、蓋板１２の中心線Ｌ及びＮの中心部には、上記タブ２の取付片２０を蓋板１の開口部１１に取り付けるタブ加締部１４が形成されている。
図３及び図４に示すように、開口部１１の切れ目線１０は、１０ａ，１０ｂ，１０ｃ，１０ｄ，１０ｅ，１０ｆ，１０ｇ，１０ｈ，１０ｍ，１０ｎで示す線より成り、開口部１１を缶内に折り込むための折込溝１０ｓが形成されている。又、蓋板１２及び開口部１１の補強のための凸状のエンボス１２ａ，１２ｂ，及び凹状のエンボス１２ｅと凸状のエンボス１１ａがほぼ切れ目線１０に沿って形成され、第一突出部２３のガイド壁として１２ｄが補強部１２ａに形成され、また、押圧部２２の先端突出部２４の位置決めをするための直線凹状のガイド用の溝部１３が形成されている。【００２７】＜タブ２＞
タブ２は、図１０乃至図１５に示すように、開口部１１を押圧して蓋板１２から缶本体内に折り込むものである。
図３及び図５乃至図９にタブ２の構造を示す。タブ２は、図５に示すように短形に形成されている。また、タブ加締部１４の後方側でタブ２の引きお越しを行なうタブ操作部２１が形成されていると共に、他方の先端部には、タブ加締部１４より開口部１１を押圧して切断するための押圧部２２が形成されている。【００２８】  押圧部２２の先端は、図７に示すように、幅方向が断面逆凹状に形成されている。即ち、幅方向両端部が下方（蓋板１２方向）に突出して突出部２３，２４として形成され、押圧部２２が開口部１１（図４参照）を押圧するとき、先ずこれら突出部２３，２４が開口部１１と接触（図３参照）するようになっている。更に、押圧部２２の第一突出部２３及び第二突出部２４には開口部１１を押圧し、切断するとき、突出部２３に押圧力が一点に集中するように、タブ側基端部２０ｅ付近にある終端部子孔２０ｈから切断線２０ｆが形成され、切断線２０ｆに続く曲線部２０ｇと、それに続く一方の終端部子孔２０ｊを中心線Ｌ付近の位置に設け（図５参照）、突出部２４側への押圧力が小さく制限されるよう形成されている。また、開口部１１を押圧、切断するとき変形を防ぐべく、それぞれ押圧部２２より延伸した突出部補強部２３ａ及び２４ａ（図７参照）が形成されている。【００２９】  前記第一突出部補強部２３ａは、図３に示すように、第一突出部２３が開口部１１の破断部１０ｄ（図４参照）を切断する際の変形を防ぐべきものであって、又、前記第二突出部２４の先端は下方に向かって第一突出部２３よりも長く（図３参照）形成されている。【００３０】＜取付片２０＞
取付片２０は、蓋板１２面にほぼ平行に密着するように配置され、且つ、加締部１４によって蓋板１２に固定される蓋板固着部２０ａ（図６参照）と、その蓋板側固着部２０ａの基端部２０ｂからタブ側に延伸されタブ側基端部２０ｅに連結されたタブ先端移動調節部２０ｄとからなる。２０ｃはタブ基端部２０ｅの折り曲げ曲線部を示す。このタブ先端移動調節部２０ｄは、タブ２の操作部２１を蓋板１２から引き起こしたとき、タブ２がある程度回動し、且つ、先端の押圧部２２が後退移動した後に、最大の押圧力で均衡状態になり、破断部１０ｄの初期切断が行なわれるようにするタブ移動調節部２０ｄを営む長さを有している。【００３１】  取付片２０，特にタブ先端移動調節部２０ｄは、操作部２１をわずかな力で軽く引き起こすことが出来るようにするため、また引き起こし後そのまま静止した状態を保つことが出来るようにするため、折り曲げ曲線部２０ｃをタブ側基端部２０ｅ付近に設け、該曲線部２０ｃより蓋板側基端部２０ｂへかけて緩やかな略傾斜状をなすように形成されており、この構成によって、タブ２を回動可能とすると共にこの回動の際に遊びをもつようにしている。即ち、操作部２１を引き起こすとき、タブ２がある程度回動して押圧部２２が後退移動した後に破断部１０ｄの初期切断を行なうものであり、タブ先端移動調節部２０ｄの長さを任意に調節可能に構成され、これにより回動の遊びや押圧部２２の長さ及び後退移動距離を可変することが可能となる。【００３２】  図１１に示すように、タブ２の操作部２１を引き起こすことにより、取付片２０は蓋板側基端部２０ｂとタブ側基端部２０ｅとで断面クランク状に折れ曲がり、タブ２の第一突出部２３は後退移動し、このときのクランク状態は均衡になった状態を示しており、更に、図１２に示すように、タブ２の操作部２１を引き起こすことにより、第一突出部２３は均衡状態のため後退移動ができず、この時最も強い押圧力を示しており、蓋板側基端部２０ｂを支点として蓋板１２の上面から下方に向かって押し下げられ、この時タブ側基端部２０ｅに掛かる押圧力は、押圧部２２の中心線Ｌの付近より第二突出部２４側を切断する切断線２０ｆに続く曲線部２０ｇと、それに続く終端部小孔２０ｊが形成されているため、第二突出部２４側への押圧力はいちぢるしく減少され、押圧部２２の中心線Ｌより第一突出部２３側に押圧力がより集中し、開口部１１を押圧して切れ目線１０ｄの初期切断が容易に行なわれるように構成されている。【００３３】  また、図１０及び図１２に示すように、タブ取付片終端部子孔２０ｈと一方の終端部子孔２０ｊとの中間に、曲線部２０ｃの位置決め用の直線凹状溝部２０ｋが形成されており、タブ２の操作部２１を引き起こすことにより、終端部子孔２０ｈと子孔２０ｊの先端部と、凹状溝部２０ｋの後端部と先端部とがそれぞれ折れ線状に結ばれて略三角形の補強地帯２０ｎが形成され、これにより操作部２１の強い引き起こしによる終端部子孔２０ｈ及び終端部子孔２０ｊの引き裂きが防止されるものである。【００３４】  開口部１１は、図１及び図４に示すように、蓋板１２面上に刻印された切れ目線１０によって形成され、この切れ目線１０は、押圧部２２で開口部１１を押圧し���とき破断部１０ｄが切断可能な断面Ｕ字状やＶ字状等の溝によって形成され、切れ目線１０の曲線部１０ｄが切断可能な断面Ｕ字状やＶ字状等の溝によって形成され、切れ目線１０の曲線部１０ａは押圧部２２の前方にあって、蓋板１２の周縁部の近傍に位置されている。曲線部１０ａから伸びる切れ目線１０は、タブ２の第一突出部２３を覗きタブ２の外側に位置し、且つ、タブ２の操作部２１方向に延出され、その切れ目線１０の終端部１０ｍ、最終端部１０ｎは、加締部１４以後の操作部２１の方向に位置されている。【００３５】  切れ目線１０の終端部１０ｍは、図４に示すように、切れ目線１０が初期切断される破断部１０ｄの終端部にあり、且つ、加締部１４の中心線Ｎの後方に遠く位置するよう形成されている。【００３６】  また、切れ目線１０の最終端部１０ｎは、図４に示すように、湾曲線部１０ｈ以後につながるもので缶蓋中心部の加締部１４の後方に位置するように形成されている。これは、開口部１１が缶内に折込溝１０ｓを介して、タブ２の加締部１４以後にまで折り込まれることにより、タブ２の中心部後方より押圧部先端まで缶内に沈み込み、タブ２が飲み口を邪魔することのないように設けられたものである。【００３７】  また、押圧部２２の第一突出部２３は、中心線Ｌにほぼ平行に破断部１０ｄの延長戦上に位置するようにタブ２は開口部１１に取り付けられており、且つ、曲線部１０ｅによって第一突出部２３は開口部１１の切れ目線１０より外側に外れて位置されている。【００３８】  前記破断部１０ｄは、タブ２の操作部２１が引き起こされて第一突出部２３が後退移動し均衡状態になったとき、第一突出部２３が破断部１０ｄの真上か又はその内側近傍に移動してくるような位置に刻印され、更に、タブ２の均衡状態を崩すように操作部２１を更に引き起こすことにより初期切断される開口部１１の切れ目線部分である。【００３９】  つまり、第一突出部２３は曲線部１０ｅを設けたことによって破断部１０ｄから外された位置に設けられており、第一突出部２３が後退移動するとき曲線部１０ｅを通過して破談部１０ｄの真上かまたはその内側近傍に移動してくる。【００４０】  図３及び図４に示すように、蓋板１２及び開口部１１には、補強用として、凸状のエンボス１２ａ，１２ｂ，及び凹状のエンボス１２ｅと凸状のエンボス１１ａが形成されており、また、タブ２の操作部２１が開口のため引き起こされたとき、押圧部２２の第一突出部２３及び第二突出部２４が、正確な位置に後退移動されるガイド手段として、蓋板１２の補強部１２ａにガイド壁１２ｄが、また開口部１１に第二突出部２４に係合する直線状のガイド溝１３が形成されている。
具体的には、第二突出部２４が後退移動する際の移動基端から終端までに当たる部分の側面に、ガイド溝１３が形成され、このガイド溝１３に第二突出部２４が係合して押圧部２２の後退移動が中心線Ｌに沿って行なわれるようになっている。即ち、第二突出部２４が、第一突出部２３を切れ目線の破断部１０ｄの真上か又はその内側近傍にまで移動の位置決めを確実に行なうための位置保持用として作用する。きた、補強用凸部１１ａの終端部は、切れ目線１０の湾曲線部１０ｈの手前まで形成されており、これは、開口部１１の最終端部１０ｎまで確実に折り込まれるためのものである。【００４１】  蓋板１２の表面には、タブの操作部２１方向の領域に、操作部２１が引き起こし易いよう、また、中心線Ｌに直交する方向に延伸する折り込み線により折込溝１０ｓが設けられ、折込溝１０ｓは、切れ目線の最終端部１０ｎから終端部１０ｍまで直線で結び、開口部１１を缶本体内に簡単にほぼ直角に折り込むことができるよう、凹状のエンボス１２ｅが形成されている。
【実施例】
【００４２】  次に、上記のように構成された飲料缶の開口動作について説明する。実施形態１。
（ａ）  第一動作段階（図１０及び図１１）
さて、タブ２は、缶の開口前は図１及び図２に示すように缶蓋１２の開口部１１上面に密着するように取り付けられている。この缶の開口を行なうには、タブ２の操作部２１を図１１に示すように缶蓋１２から上に向けひきおこす。薄板の取付片２０が蓋板側基端部２０ｂとタブ側基端部２０ｅを結ぶタブ先端移動調節部２０ｄの曲線部２０ｃを介してクランク状に折れ曲がり、タブ先端移動調節部２０ｄにおいてきめられた所定の長さに従って、蓋板１２上に定置している押圧部２２の第一突出部２３及び第二突出部２４が後方操作部２１方向に向かって後退移動し、この後退移動は均衡状態になり後退が止まる（タブ２が図１１に示す点線位置から実践位置に移動する）。この際、第一突出部２３は切れ目線１０ｅを通過して破断部１０ｄの真上か又はその内側近傍に移動する。【００４３】  ここまで（第一操作段階）は、操作部２１を引き起こすための力はただ薄板の取付片２０をテコの力で主に折り曲げるとゆうだけで、軽く容易に引き起こすことが出来る。この際、押圧部２２の第二突出部２４が、開口部１１に形成されたガイド溝１３に係合して中心線Ｌに沿って平行に正確に移動案内され、又、第一突出部２３もガイド壁１２ｄに守られ、第一突出部２３が切れ目線１０の破断部１０ｄの真上か又はその内側近傍に確実に位置決め（案内）される。引き起こされたタブ２の操作部２１は、タブ先端移動調節部２０ｄが折り曲げられているので、操作部２１から指先を外してもそのままの状態で静止する。このため、他の指先に差し替えることができ、開口部１１の初期切断に対して十分な力を掛けることができる。【００４４】  （ｂ）  第二操作段階
そして、引き続き操作部２１を引き起こすことにより、図１２に示す状態になる。即ち、後退の均衡状態が変わり、押圧部２２は蓋板側基端部２０ｂを支点として、タブ側基端部２０ｅの中心線Ｌより第一突出部２３側の半分以下を支点に、第一突出部２３に押圧力が一点により集中し、破断部１０ｄに向かって下方に押し下げるように押圧し、開口部１１の破断部１０ｄの部分から容易に初期切断される。【００４５】  （ｃ）  第三動作段階（図１３，図１４及び図１５）
そして、開口部１１の破断部１０ｄを切断した後に、図１３に示すように、タブ２が蓋板１２面に対して更に操作部２１を引き起こす。この際、破断部１０ｄが初期切断された後は、押圧部２２の先端部２２ｂも開口部１１上面と接触して開口部１１の押圧に寄与し、押圧部全体で開口部１１が幅方向にわたって押し下げられる。引き続き開口部１１の上面に取り付けられているタブ２を、垂直以上に引き起こす子とにり、切れ目線１０の最終端部１０ｎまで切り裂かれ、最終端部１０ｎから折込溝１０ｓを介し、終端部１０ｍと直線状に結ばれ、開口部１１は缶内３に完全に折れ曲がり、大きな開口部１１が得られる。
尚、第一動作段階から第三動作段階までを、従来のように、一本の指で連続動作で出来ることは勿論であり、片手だけで容易に開口することができる。【００４６】  次に、図１６乃至図２５に本発明の実施形態２を示す。これは、食料品及びその他の缶蓋へ本発明を適応したその一例である。
図１６及び図１７において、１は缶蓋を示し、この缶蓋は魚介、果実類その他を収容する缶本体３に固着されるものであり、缶本体と同じ材料、例えばアルミ、ブリキ鋼板等の薄板により形成されている。缶蓋１は、缶本体３の上部開口部を閉鎖すると共に、切れ目線１０により形成された開口されるべき領域を閉鎖する開口部１１を有する蓋板１２と、その蓋板１２の中心線Ｌの内周縁部の近傍のタブ加締部１４に取り付けた薄板から成るタブ２が取付片２０を介して蓋板１２に取り付けられており、タブ２を引き起こしタブ先端部２２ｂを支点にして蓋板側基端部２０ｂを垂直に引き上げ蓋板１２から開口部１１を切断しつつ蓋板上面に引き起こし缶のフルオープンの開口を完了する缶蓋である。【００４７】＜蓋板１２＞
図１６及び図１８に示すように、蓋板１２面上に刻印されたエンドレスの切れ目線１０によって形成され、切れ目線１０の半円形状曲線部１０ｊは、タブ先端部２２ｂより径方向後方にあって蓋板１２の内周縁部の近傍に位置されておに、半円形状曲線部１０ｊからタブ先端部２２ｂ方向にエンドレス状に伸びた２辺の曲線部１０ｂ及び１０ｃは、タブ加締部１４の第一中心線Ｌの近くに位置し、初期切断される切れ目線１０ｄは、曲線部１０ｂ及び１０ｃから伸びた直線１０ｄによってエンドレス状に繋がっている。【００４８】＜タブ２＞
タブ２は、図２３乃至図２５に示すように、開口部１１を引き起こして蓋板１２上面から引き上げてフルオープンに開口するものである。
図１９乃至図２１にタブ２の構造を示す。タブ２は、図２０に示すように、タブ先端部２２ｂより後方に続くタブ２の引きお越しを行なう半円形状の操作部２１が形成されている。【００４９】  押圧部２２の先端は、図２１に示すように、タブ先端部２２ｂが形成されている。即ち、タブ操作部２１を引き起こし開口部１１の破断部１０ｄを初期切断（図２２参照）するとき、タブ先端部２２ｂが蓋板１２面上にて支点となるように形成されている。
また、前記先端部（２２ｂ）の押圧部補強部（２２ａ）を、タブ操作部（２１）の最初の引きお越しを容易にすべく、蓋板（１２）との間に間隙が形成されている。【００５０】  さて、かかる構成の缶蓋は、図１６及び図１７に示す状態からタブ２の操作部２１を引き起こすと、図１１に示すように取付片２０が蓋板側基端部２０ｂとタブ側基端部２０ｅを結ぶタブ先端移動調節部２０ｄの長さに従って、タブ先端部２２ｂは蓋板１２面上を第一中心線Ｌに沿って後退移動し、均衡状態になる。ここまでは前述した実施形態１の第一動作段階（図１１）と同じである。【００５１】  そして、引き続き操作部２１を大きく引き起こすことにより、図２２に示す状態になる。即ち、後退の均衡状態が変わり、押圧部２２のタブ先端部２２ｂを支点として、蓋板側基端部２０ｂに引き起こし力が一点に集中し、蓋板１２の上面に向かって垂直に引き上げられ、開口部１１の破断部１０ｄの部分から容易に初期切断される。【００５２】  そして、開口部１１の破断部１０ｄを切断した後に、図２３に示すように、タブ２が蓋板１２面に対して更に操作部２１をほぼ垂直に引き起こす。そしてこの状態のまま引き続きタブ２を蓋板１２の上面より引き上げることにより（図２４参照）開口部１１の切れ目線１０は全て切り裂かれ、図２５に示すように完全に開封される。【００５３】  このように、従来のフルオープン缶の缶蓋との違いは、タブ先端移動調節部２０ｄがあるためにタブ２の引きお越しが軽く、且つ、初期切断から蓋板の上方向に向け一方向のみに引き裂かれ開封を完了するため、飲料の缶蓋と同様に途中で切り裂きの方向を変えることなく、誰にでも完全にスムースに開封することが出来る。従って、蓋板上面に開封の仕方についての図示を印刷する必要もない。【００５４】  以上、実施形態を示したが、タブ操作部を爪先等で軽く引き起こすことにより、タブはそのままの状態で静止することが出来るため、全ての人々がタブに十分指先を掛けることができ、容易に開口することができ、缶容器におけるユニバーサルデザインの一部をなすように考えられたものである。
【図面の簡単な説明】
【００５５】
【図１】  本発明の一実施形態１に係わる飲料缶用缶蓋を示す平面図である。
【図２】  図１中の２−２線矢視断面図である。
【図３】  図１中の３−３線矢視断面図である。
【図４】  本発明の実施形態１に係わる飲料缶用缶蓋の缶蓋を示す平面図である。
【図５】  本発明の実施形態１に係わる飲料缶用缶蓋のタブを示す平面図である。
【図６】  図５中の６−６線矢視断面図である。
【図７】  図５中の７−７線矢視断面図である。
【図８】  図５中の８−８線矢視断面図である。
【図９】  図５中の９−９線矢視断面図である。
【図１０】  タブを引き起こし、押圧部の第一突出部で破断部の初期切断が始まる状態を示す平面図である。
【図１１】  タブを引き起こし、後退移動させ、均衡状態で静止した状態を示す図１０中の１１−１１線矢視断面図である。
【図１２】  更にタブを引き起こし、初期切断をした図１０中の１２−１２線矢視断面図である。
【図１３】  初期切断後、更にタブを引き起こし、最終端部より前方を折り曲げた状態を示す図１０中の１３−１３線矢視断面図である。
【図１４】  タブを缶蓋に対してほぼ垂直に引き起こし、折込溝を介し、中心線以後にある最終端部まで缶内に折り込まれた状態を示す図１５中の１４−１４線矢視断面図である。
【図１５】  本発明の実施形態１に係わる飲料缶の缶蓋が開口された状態を示す平面図である。
【図１６】  本発明の実施形態２に係わるフルオープン缶の缶蓋を示す平面図である。
【図１７】  図１６中の１７−１７線矢視断面図である。
【図１８】  本発明の実施形態２に係わるフルオープン缶の蓋板を示す平面図である。
【図１９】  図２０中の１９−１９線矢視断面図である。
【図２０】  本発明の実施形態２に係わるフルオヘプン缶の缶蓋のタブを示す平面図である。
【図２１】  図２０中の２１−２１線矢視断面図である。
【図２２】  タブを引き起こし、破断部を垂直に引き上げ初期切断をした状態を示す断面図である。
【図２３】  タブを蓋板に対して垂直に引き起こした状態を示す断面図である。
【図２４】  タブのリンク状の操作部を引き上げ切れ目線を引き裂いている状態を示す断面図である。
【図２５】  本発明の実施形態２に係わるフルオープン缶の缶蓋が開口された状態を示す平面図である。
【符号の説明】
【００５６】１缶蓋
２タブ
３缶本体
１０切れ目線
１０ａ，１０ｂ，１０ｃ曲線部
１０ｄ破断部直線部
１０ｅ，１０ｆ曲線部
１０ｇ直線部
１０ｈ湾曲線部
１０ｊ半円形曲線部
１０ｍ終端部
１０ｎ最終端部
１０ｓ折込溝
１１開口部
１１ａ補強用エンポス
１２蓋板
１２ａ，１２ｂ，補強用エンボス
１２ｄガイド壁
１２ｅ，１２ｆ，１２ｇ補強用凹状エンボス
１３初期切断用ガイド溝
１４タブ加締部
２０タブ取付片
２０ａ蓋板側固着部
２０ｂ蓋板側基端部
２０ｃ折り曲げ曲線部
２０ｄタブ先端移動調節部
２０ｅタブ側基端部
２０ｆ取付片部切断線
２０ｇ切断線曲線部
２０ｈタブ取付片終端部子孔
２０ｊタブ取付片終端部子孔
２０ｋ位置決用直線凹状溝部
２０ｎ略三角形補強地帯
２１操作部
２２押圧部
２２ａ押圧部補強部
２２ｂタブ先端部
２３第一突出部
２３ａ第一突出部補強部
２４第二突出部
２４ａ第二突出部補強部
Ｌ横中心線
Ｎ縦中心線
【図１】
2009196701.tif 000003
【図２】
2009196701.tif 000004
【図３】
2009196701.tif 000005
【図４】
2009196701.tif 000006
【図５】
2009196701.tif 000007
【図６】
2009196701.tif 000008
【図７】
2009196701.tif 000009
【図８】
2009196701.tif 000010
【図９】
2009196701.tif 000011
【図１０】
2009196701.tif 000012
【図１１】
2009196701.tif 000013
【図１２】
2009196701.tif 000014
【図１３】
2009196701.tif 000015
【図１４】
2009196701.tif 000016
【図１５】
2009196701.tif 000017
【図１６】
2009196701.tif 000018
【図１７】
2009196701.tif 000019
【図１８】
2009196701.tif 000020
【図１９】
2009196701.tif 000021
【図２０】
2009196701.tif 000022
【図２１】
2009196701.tif 000023
【図２２】
2009196701.tif 000024
【図２３】
2009196701.tif 000025
【図２４】
2009196701.tif 000026
【図２５】
2009196701.tif 000027